(57)【要約】【課題】前面部に取り付けられるカバーが、誤取付状態にある場合にその傾きがわかりやすい加熱調理器を提案する。【解決手段】加熱調理器は、調理器本体２と、調理器本体２の前面部２０に取り付けられるカバー３と、を具備する。カバー３は、カバー３の第一端部に位置する第一係止部４と、カバー３の第一端部とは反対側の第二端部に位置する第二係止部５とを備える。前面部２０は、第一係止部４が係止される第一被係止部６と、第二係止部５が係止される第二被係止部７と、を備える。前面部２０とカバー３のうち少なくとも一方は、誤取付状態において前面部２０に対してカバー３を傾かせるための突起８を有する。誤取付状態は、第一係止部４が第一被係止部６に係止され、かつ第二係止部５が第二被係止部７に係止されず、突起８を介して第二被係止部７の前側に乗り上げた状態である。【選択図】図４
2020051631.tif 000002
【特許請求の範囲】
【請求項１】
調理器本体と、
前記調理器本体の前面部に取り付けられるカバーと、を具備し、
前記カバーは、
前記カバーの第一端部に位置する第一係止部と、
前記カバーの前記第一端部とは反対側の第二端部に位置する第二係止部とを備え、
前記前面部は、
前記第一係止部が係止される第一被係止部と、
前記第二係止部が係止される第二被係止部と、を備え、
前記前面部と前記カバーのうち少なくとも一方は、誤取付状態において前記前面部に対して前記カバーを傾かせるための突起を有し、
前記誤取付状態は、
前記第一係止部が前記第一被係止部に係止され、かつ前記第二係止部が前記第二被係止部に係止されず、前記突起を介して前記第二被係止部の前側に乗り上げた状態である、
加熱調理器。
【請求項２】
前記突起は、前記誤取付状態において前記第二係止部に当たるように前記前面部から前側に突出した本体側突起を含む、
請求項１の加熱調理器。
【請求項３】
前記カバーは、
前記第一係止部が前記第一被係止部に係止され、前記第二係止部が前記第二被係止部に係止された取付状態において、前記本体側突起が収まるように構成された収容凹部を有する、
請求項２の加熱調理器。
【請求項４】
前記第二係止部と前記第二被係止部には、
互いに係止する位置にガイドするための凹凸形状が設けられている、
請求項１から３のいずれか一つの加熱調理器。
【請求項５】
前記第一端部は、左右方向の一方の端部であり、前記第二端部は、左右方向の他方の端部である、
請求項１から４のいずれか一つの加熱調理器。
【請求項６】
前記第一係止部は、前記カバーの後面にスライド可能に取り付けられた操作部材であり、
前記操作部材は、前記第一被係止部に係止される固定位置と、前記第一被係止部に係止されない非固定位置との間で、スライド可能である、
請求項１から５のいずれか一つの加熱調理器。
【請求項７】
前記調理器本体は、
キッチンキャビネットに組み込まれるビルドイン式のグリル付きガス焜炉である、
請求項１から６のいずれか一つの加熱調理器。
【発明の詳細な説明】
【技術分野】
【０００１】
本開示は、加熱調理器に関する。
【背景技術】
【０００２】
特許文献１には、調理器本体の前面部に、カバーが着脱自在に装備された加熱調理器が記載されている。この加熱調理器は、キッチンキャビネットの上方開口部から挿入されて、前面部をキッチンキャビネットの前面開口部に臨ませた状態で、キッチンキャビネットに組み付けられる。
【０００３】
カバーは、左右の端部に、調理器本体の前面部に対して係止される被係止部を備えている。左右の被係止部のうちの一方は、前面部に対して係止される固定状態と、前面部に対する係止が解除される固定解除状態とに切換え可能である。
【先行技術文献】
【特許文献】
【０００４】
【特許文献１】特開２０１４−３５１２３号公報
【発明の概要】
【発明が解決しようとする課題】
【０００５】
ところで、特許文献１に記載の加熱調理器では、カバーの左右の端部の被係止部のうちの一方が前面部に係止され、他方が前面部に係止されていない誤取付状態において、カバーの係止されていない側の端部が前側に浮き上がって、カバーが若干傾く。
【０００６】
カバーは、キッチンキャビネットの天板よりも下方の、目の届きにくい部分にあるため、誤取付状態にあっても、その傾きが利用者にとってわかりにくい。カバーを誤取付状態のまま放置すると、カバーが落下して破損する等の問題が生じる恐れがある。
【０００７】
上記事情に鑑みて、本開示は、前面部に取り付けられるカバーが、誤取付状態にある場合にその傾きがわかりやすい、加熱調理器を提案することを、目的とする。
【課題を解決するための手段】
【０００８】
本開示の一態様に係る加熱調理器は、調理器本体と、前記調理器本体の前面部に取り付けられるカバーと、を具備する。前記カバーは、前記カバーの第一端部に位置する第一係止部と、前記カバーの前記第一端部とは反対側の第二端部に位置する第二係止部とを備える。前記前面部は、前記第一係止部が係止される第一被係止部と、前記第二係止部が係止される第二被係止部と、を備える。前記前面部と前記カバーのうち少なくとも一方は、誤取付状態において前記前面部に対して前記カバーを傾かせるための突起を有する。前記誤取付状態は、前記第一係止部が前記第一被係止部に係止され、かつ前記第二係止部が前記第二被係止部に係止されず、前記突起を介して前記第二被係止部の前側に乗り上げた状態である。
【発明の効果】
【０００９】
本開示は、前面部に取り付けられるカバーが、誤取付状態にある場合にその傾きがわかりやすい、加熱調理器を提案することができる。
【図面の簡単な説明】
【００１０】
【図１】図１は、一実施形態の加熱調理器を示す正面図である。
【図２】図２Ａは、同上の加熱調理器が備えるカバーを後側から見た状態を示す斜視図であり、図２Ｂは、図２ＡのＹ部分を示す斜視図である。
【図３】図３Ａは、同上の加熱調理器が備える調理器本体の前面部の一部を示す斜視図であり、図３Ｂは、図３ＡのＺ部分を後側から見た状態を示す斜視図である。
【図４】図４Ａは、同上のカバーが調理器本体の前面部に取り付けられた取付状態を示す平断面図であり、図４Ｂは、同上のカバーの一部が調理器本体の前面部に取り付けられた誤取付状態を示す平断面図である。
【図５】図５Ａ，Ｂは、加熱調理器の変形例を示す図であり、図５Ａは、カバーが調理器本体の前面部に取り付けられた取付状態を示す平断面図であり、図５Ｂは、同上のカバーの一部が調理器本体の前面部に取り付けられた誤取付状態を示す平断面図である。
【発明を実施するための形態】
【００１１】
（１）概要
図１に示す一実施形態の加熱調理器１は、調理器本体２と、調理器本体２の前面部２０に取り付けられるカバー３と、を具備する。
【００１２】
図２Ａに示すように、カバー３は、カバー３の第一端部に位置する第一係止部４と、カバー３の第一端部とは反対側の第二端部に位置する第二係止部５とを備える。図３Ａに示すように、前面部２０は、第一係止部４が係止される第一被係止部６と、第二係止部５が係止される第二被係止部７と、を備える。
【００１３】
前面部２０とカバー３のうち少なくとも一方（本実施形態では前面部２０）は、誤取付状態において前面部２０に対してカバー３を傾かせるための突起８を有する。誤取付状態は、図４Ｂに示すように、第一係止部４が第一被係止部６に係止され、かつ第二係止部５が第二被係止部７に係止されず、突起８を介して第二被係止部７の前側に乗り上げた状態である。
【００１４】
本実施形態の加熱調理器１では、誤取付状態において、前面部２０に対してカバー３を突起８により大きく傾かせることができる。そのため、本実施形態の加熱調理器１では、カバー３が誤取付状態にある場合にその傾きがわかりやすい。
【００１５】
（２）詳細
続いて、本実施形態の加熱調理器１について、更に詳しく説明する。
【００１６】
（２−１）基本構成
図１には、一実施形態の加熱調理器１の全体を示している。一実施形態の加熱調理器１は、キッチンキャビネットに組み込まれるビルトイン式のグリル付きガス焜炉である。
【００１７】
調理器本体２は、加熱部９と複数（本実施形態では二つ）の操作ユニット１０とを備える。加熱部９は、複数（本実施形態では三つ）の焜炉バーナー１１と、グリル１２を含む。三つの焜炉バーナー１１は、調理器本体２のトッププレート１３に、互いに距離をあけて配置されている。
【００１８】
グリル１２は、グリル庫１２１と、グリル扉１２３を備えている。グリル庫１２１は、調理器本体２の前面部２０において前側に開口するように形成されている。グリル扉１２３は、グリル庫１２１の開口部分を開閉する。
【００１９】
本文中においては、加熱調理器１に対して利用者が位置する側を前側、この反対側を後側と定義する。左右方向については、加熱調理器１を利用する利用者の視点を基準として、左側と右側を定義する。
【００２０】
グリル庫１２１を挟んだ左右の両側に、操作ユニット１０が位置している。左側の操作ユニット１０と、右側の操作ユニット１０は、基本的に共通の構造を有する。
【００２１】
左右の操作ユニット１０の各々において、その下半部は、所謂カンガルーポケット式の回転体１００である。回転体１００の上面には、加熱部９での加熱調理の設定を行うための各種のボタンが配置された操作パネルが設けられている。加熱調理の設定とは、例えば、各焜炉バーナー１１の加熱モード（おかゆモード、ご飯モード、湯沸しモード等）の設定、グリル１２に備えられたグリルバーナーの加熱モード（姿焼モード、切身モード、干物モード等）の設定である。
【００２２】
回転体１００の前面には、回転体１００を覆う下カバー１０１が取り付けられている。下カバー１０１は、回転体１００よりも左右方向に長く、左右方向外側の端部が、回転体１００よりも左右方向外側に位置している。回転体１００は、その下端部を中心として、左右方向に平行な軸周りに回転するように構成されている。
【００２３】
回転体１００は、操作パネルの操作が必要でないときには、操作パネルが調理器本体２内に隠れるように、その全体を後方に退避させておくことができる。また、回転体１００は、操作パネルの操作が必要なときには、その全体を前方に回転移動させて、操作パネルを利用者側に露出させることができる。
【００２４】
左右の操作ユニット１０の各々において、その上半部の前面部１０２には、図３Ａに示すように、加熱調理の状態を示すためのＬＥＤ（Ｌｉｇｈｔ  Ｅｍｉｔｔｉｎｇ  Ｄｉｏｄｅ）等の光源１０３が設置されている。左右の操作ユニット１０の前面部１０２は、調理器本体２の前面部２０の一部を構成している。
【００２５】
左右の操作ユニット１０のそれぞれの前面部１０２に、カバー３が着脱可能に取り付けられる。左側の操作ユニット１０の前面部１０２に取り付けられるカバー３と、右側の操作ユニット１０の前面部１０２に取り付けられるカバー３とは、構造が左右対称である。また、左側の操作ユニット１０の前面部１０２と、右側の操作ユニット１０の前面部１０２とは、構造が左右対称である。以下では、左側の操作ユニット１０の前面部１０２と、左側のカバー３について詳しく説明する。
【００２６】
（２−２）調理器本体の前面部（操作ユニットの前面部）
図３Ａには、左側の操作ユニット１０の前面部１０２が示されている。
【００２７】
第一被係止部６は、前面部１０２の左端部に設けられ、第二被係止部７は、前面部１０２の右端部に設けられている。第一被係止部６は、前面部１０２の左端部に位置する上下一対の板状の部分６０である。前面部１０２の左端部のうち、各部分６０の上側には、カバー３の第一係止部４を挿入するための切欠き６１が設けられている。切欠き６１は、前側と左側（左右方向外側）に開放されている。
【００２８】
第二被係止部７は、前面部１０２の右端部に位置する上下一対の板状の部分７０である。図３Ｂ及び図４Ａに示すように、各部分７０の後側には、カバー３の第二係止部５を収めるための凹み７１が設けられている。
【００２９】
第二被係止部７には、第二係止部５を互いに係止する位置へとガイドするための凹凸形状が設けられている。本実施形態では、板状の部分７０の上下方向の中間部に設けられた凹部７２が、凹凸形状である。凹部７２は、右側と後側に開放されている。
【００３０】
前面部１０２の右端部には、図４Ｂに示す誤取付状態において第二係止部５に当たるように前側に突出した本体側突起８０が設けられている。図３Ａ，Ｂに示すように、本体側突起８０は、本実施形態では、各部分７０の右端部から前側に突出している。本体側突起８０は、左右方向から視て台形状である。
【００３１】
図３Ａに示すように、前面部１０２の右端部には、部分７０と本体側突起８０のそれぞれに対して一体に設けられる上下一対の補強リブ１４が設けられている。上下一対の補強リブ１４のそれぞれは、上下方向から視て三角形状である。凹部７２は、図３Ｂに示すように、板状の部分７０から本体側突起８０の後部にわたるように設けられている。
【００３２】
（２−３）カバー
図２Ａには、上述した前面部１０２に取り付けられるカバー３が示されている。カバー３は、前側に位置する金属製の外カバー３０と、外カバー３０の後側に位置する内カバー３１とを有する。外カバー３０は、下カバー１０１と外観が共通している。内カバー３１は、樹脂成型品である。内カバー３１は、後面が開口した扁平な矩形の箱型である。内カバー３１は、矩形板状の前壁３１０と、前壁３１０の右端部から後側に突出した側壁３１１とを、少なくとも含む。
【００３３】
第一係止部４は、内カバー３１の左端部に設けられ、第二係止部５は、内カバー３１の右端部に設けられている。図２Ａ，Ｂに示すように、第二係止部５は、内カバー３１の右端部の側壁３１１の後端部から左側に突出した上下一対の板状の部分５０と、各部分５０の左端部から後側に突出した突出片５１とを含む。第二係止部５はさらに、突出片５１と部分５０と側壁３１１のそれぞれに対して一体に設けられた複数（本実施形態では三つ）の補強リブ５２を含む。
【００３４】
第二係止部５には、第二被係止部７に係止する位置へとガイドするための凹凸形状が設けられている。本実施形態では、板状の部分５０の上下方向の中間部と側壁３１１とでなされる角部分に設けられた凸部５３が、凹凸形状である。凸部５３は、本実施形態では、上下方向から視て台形状である。
【００３５】
カバー３は、第一係止部４が第一被係止部６に係止され、かつ第二係止部５が第二被係止部７に係止された取付状態（図４Ａ参照）において、本体側突起８０が収まるように構成された収容凹部３２を有する。収容凹部３２は、外カバー３０と第二係止部５の板状の部分５０との間の部分である。内カバー３１の前壁３１０のうち、第二係止部５の板状の部分５０の前側に位置する部分には、前後方向に貫通する貫通孔３１２が設けられている。貫通孔３１２内の空間が、収容凹部３２の一部を構成している。
【００３６】
第一係止部４は、本実施形態では、カバー３の内カバー３１の前壁３１０の後面にスライド可能に取り付けられた操作部材１５である。操作部材１５は、第一被係止部６に係止される固定位置と、第一被係止部６に係止されない非固定位置との間で、スライド可能である。
【００３７】
操作部材１５は、上下方向に長い板状の本体部１５０と、本体部１５０の上下方向の一部から左右に突出した上下一対の係止片１５１と、本体部１５０の下端部と一体に設けられた操作片１５２とを、有する。内カバー３１の前壁３１０の後面には、操作部材１５の本体部１５０を、固定位置と非固定位置との間で移動可能に支持する支持構造が設けられている。
【００３８】
操作部材１５は、固定位置にあるとき、上下一対の係止片１５１が、第一被係止部６の板状の部分６０の後側に位置して、第一被係止部６に対して係止される。操作部材１５は、非固定位置にあるとき、上下一対の係止片１５１が、前面部１０２の切欠き６１の後側に位置して、第一被係止部６に対して係止されない。操作部材１５が非固定位置にあるとき、カバー３の左端部は、前側に移動可能であり、前面部２０から取り外し可能である。
【００３９】
操作部材１５は、操作片１５２を手で掴んで上下に動かすことで、固定位置と非固定位置との間でスライド可能である。操作片１５２は、操作ユニット１０の回転体１００が閉位置にあるとき、下カバー１０１によって前側から覆われ、回転体１００が開位置にあるときに、前側に露出し、操作可能である。
【００４０】
（３）カバーの取付方法
続いて、上述したカバー３を前面部１０２に取り付ける方法の一例について説明する。
【００４１】
（３−１）正常に取り付けられる場合
まず、カバー３の第二係止部５の上下一対の板状の部分５０を、前面部１０２の第二被係止部７の上下一対の板状の部分７０に後側から引っ掛ける。このとき、第二被係止部７の各部分７０の凹部７２に、第二係止部５の各部分５０の前側の凸部５３が入り込むことで、第二係止部５が第二被係止部７に対して係止される位置へとガイドされる。
【００４２】
次いで、カバー３を、第二係止部５を中心として上下方向に平行な軸周りに回転させて、非固定位置にある操作部材１５の上下一対の係止片１５１を、前面部１０２の上下一対の切欠き６１に挿入し、切欠き６１の後側のスペースに配置する。
【００４３】
次いで、操作部材１５の操作片１５２を下側にスライド操作して、上下一対の係止片１５１が前面部１０２の上下一対の板状の部分６０の後側に位置する固定位置へと移動させる。
【００４４】
以上のようにすることで、カバー３は、第一係止部４が第一被係止部６に係止され、かつ第二係止部５が第二被係止部７に係止された取付状態となり、前面部１０２に対して固定される（図４Ａ参照）。
【００４５】
取付状態において、カバー３は、前面部１０２に対して平行となり、カバー３の前面は、閉じた状態のグリル扉１２３の前面や、閉じた状態の下カバー１０１の前面に対して略面一となる。
【００４６】
（３−２）誤った状態で取り付けられる場合
カバー３の第二係止部５を、前面部１０２の第二被係止部７に引っ掛けていない状態で、非固定位置にある操作部材１５の上下一対の係止片１５１を、前面部１０２の上下一対の切欠き６１に挿入する。
【００４７】
次いで、操作部材１５の操作片１５２を下側にスライド操作して、上下一対の係止片１５１が前面部１０２の上下一対の板状の部分６０の後側に位置する固定位置へと移動させる。
【００４８】
これにより、カバー３の第一係止部４が前面部１０２の第一被係止部６に係止され、かつカバー３の第二係止部５が前面部１０２の第二被係止部７に係止されない誤取付状態となる。
【００４９】
誤取付状態にあるとき、図４Ｂに示すように、前面部１０２の突起８（本体側突起８０）に、カバー３の第二係止部５（詳しくは突出片５１）が乗り上げる。これにより、カバー３の右端部が、カバー３の左端部よりも大きく前側に位置して、カバー３が前面部１０２に対して大きく傾く。
【００５０】
誤取付状態を正常な取付状態とするためには、操作部材１５の操作片１５２を上側に移動させて、上下一対の係止片１５１を、前面部１０２の切欠き６１の後側に移動させて係止を解除し、カバー３を前面部１０２から取り外す。次いで、上述した正常に取り付けられる場合の取付方法によって、カバー３を前面部１０２に取り付ける。
【００５１】
（４）作用効果
本実施形態の加熱調理器１では、第一係止部４が第一被係止部６に係止され、かつ第二係止部５が第二被係止部７に係止されていない誤取付状態において、カバー３を前面部１０２に対して突起８（本体側突起８０）によって大きく傾けることができる。
【００５２】
そのため、本実施形態の加熱調理器１は、キッチンキャネットの天板の下方といった、目の届きにくい部分に位置するカバー３が、傾いた誤取付状態にあることが、利用者にとってわかりやすい。これにより、本実施形態の加熱調理器１では、カバー３が誤取付状態のまま放置されることを抑制でき、カバー３の落下による破損等の問題の発生を抑制することができる。
【００５３】
また、本実施形態の加熱調理器１では、カバー３の第二係止部５が、板状の部分５０から後側に突出した突出片５１を有し、この突出片５１は本体側突起８０に当たるため、突出片５１がカバー３を傾けるための突起８としても機能する。そのため、本実施形態の加熱調理器１では、被取付状態にあるカバー３の傾きを大きくしやすい。
【００５４】
（５）変形例
続いて、上述した実施形態の加熱調理器１の変形例について説明する。
【００５５】
突起８は、図５Ａ，Ｂに示す変形例の加熱調理器１のように、誤取付状態において第二被係止部７に当たるように第二係止部５から後側に突出したカバー側突起８１を含んでもよい。変形例の加熱調理器１は、本体側突起８０を備えていない。なお、突起８は、本体側突起８０とカバー側突起８１の両方を含んでもよい。
【００５６】
第二係止部５と第二被係止部７には、互いに係止する位置をガイドするための凹凸形状が設けられなくてもよい。また、上述した実施形態では、第二係止部５が凸部５３を有し、第二被係止部７が凹部７２を有しているが、第二係止部５に凹部を設け、第二被係止部７に凸部を設けてもよい。
【００５７】
カバー３は、上下の端部のうち一方に、第一係止部４を有し、他方に第二係止部５を有してもよく、この場合、カバー３は、上下の端部のうち一方を中心とした左右方向に平行な軸周りに回転して傾く。
【００５８】
第一係止部４は、スライド可能な操作部材１５に限らず、第一被係止部６に係止可能な構造であればよい。
【００５９】
突起８は、誤取付状態において、第二係止部５が第二被係止部７の前側に乗り上げるように設けたものであればよい。例えば、本体側突起８０は、前面部２０のうち、第二被係止部７以外の部分から、第二係止部５に当たるように前側に突出してもよい。
【００６０】
加熱調理器１は、ビルトイン式こんろに限らず、テーブルコンロであってもよい。
【００６１】
（６）まとめ
以上説明した一実施形態及びその変形例の加熱調理器１のように、第一態様の加熱調理器１は、下記の構成を備える。
【００６２】
すなわち、第一態様の加熱調理器１は、調理器本体２と、調理器本体２の前面部２０に取り付けられるカバー３と、を具備する。カバー３は、カバー３の第一端部に位置する第一係止部４と、カバー３の第一端部とは反対側の第二端部に位置する第二係止部５とを備える。前面部２０は、第一係止部４が係止される第一被係止部６と、第二係止部５が係止される第二被係止部７と、を備える。前面部２０とカバー３のうち少なくとも一方は、誤取付状態において前面部２０に対してカバー３を傾かせるための突起８を有する。誤取付状態は、第一係止部４が第一被係止部６に係止され、かつ第二係止部５が第二被係止部７に係止されず、突起８を介して第二被係止部７の前側に乗り上げた状態である。
【００６３】
上記構成を備えることで、第一態様の加熱調理器１では、誤取付状態において、前面部２０に対してカバー３を突起８により大きく傾かせることができる。そのため、第一態様の加熱調理器１では、カバー３が誤取付状態にある場合にその傾きがわかりやすい。
【００６４】
また、第二態様の加熱調理器１は、第一態様の加熱調理器１の構成に加えて、下記の構成を付加的に備える。
【００６５】
すなわち、第二態様の加熱調理器１では、突起８は、誤取付状態において第二係止部５に当たるように前面部２０から前側に突出した本体側突起８０を含む。
【００６６】
上記構成を備えることで、第二態様の加熱調理器１では、前面部２０から前側に突出した本体側突起８０に、第二係止部５が乗り上げることによって、カバー３を前面部２０に対して大きく傾けることができる。
【００６７】
また、第三態様の加熱調理器１は、第二態様の加熱調理器１の構成に加えて、下記の構成を付加的に備える。
【００６８】
すなわち、第三態様の加熱調理器１では、カバー３は、第一係止部４が第一被係止部６に係止され、第二係止部５が第二被係止部７に係止された取付状態において、本体側突起８０が収まるように構成された収容凹部３２を有する。
【００６９】
上記構成を備えることで、第三態様の加熱調理器１では、前面部２０へカバー３を取り付ける際に、本体側突起８０を収容凹部３２に収めることができて、本体側突起８０が邪魔になりにくい。
【００７０】
また、第四態様の加熱調理器１は、第一から第三態様のいずれか一つの加熱調理器１の構成に加えて、下記の構成を付加的に備える。
【００７１】
すなわち、第四態様の加熱調理器１では、第二係止部５と第二被係止部７には、互いに係止する位置にガイドするための凹凸形状が設けられている。
【００７２】
上記構成を備えることで、第四態様の加熱調理器１では、第二係止部５を第二被係止部７に係止させる際に、凹凸形状によって係止する位置にガイドすることができて、第二係止部５を第二被係止部７に係止させやすい。
【００７３】
また、第五態様の加熱調理器１は、第一から第四態様のいずれか一つの加熱調理器１の構成に加えて、下記の構成を付加的に備える。
【００７４】
すなわち、第五態様の加熱調理器１では、第一端部は、左右方向の一方の端部であり、前記第二端部は、左右方向の他方の端部である。
【００７５】
上記構成を備えることで、第五態様の加熱調理器１では、被取付状態にあるときに、カバー３の左右方向の一方の端部が前側に突出するように、カバー３を傾けることができる。
【００７６】
また、第六態様の加熱調理器１は、第一から第五態様のいずれか一つの加熱調理器１の構成に加えて、下記の構成を付加的に備える。
【００７７】
すなわち、第六態様の加熱調理器１では、第一係止部４は、カバー３の後面にスライド可能に取り付けられた操作部材１５であり、操作部材１５は、第一被係止部６に係止される固定位置と、第一被係止部６に係止されない非固定位置との間で、スライド可能である。
【００７８】
上記構成を備えることで、第六態様の加熱調理器１では、操作部材１５をスライド操作することで、カバー３を前面部２０に対して簡単に付け外しでき、カバー３を誤取付状態から正常な取付状態へと直しやすい。
【００７９】
また、第七態様の加熱調理器１は、第一から第六態様のいずれか一つの加熱調理器１の構成に加えて、下記の構成を付加的に備える。
【００８０】
すなわち、第七態様の加熱調理器１では、調理器本体２は、キッチンキャビネットに組み込まれるビルドイン式のグリル付きガス焜炉である。
【００８１】
上記構成を備えることで、第七態様の加熱調理器１では、キッチンキャビネットの天板よりも下方の、見えにくい部分にカバー３が位置するものの、カバー３が誤取付状態にある場合にその傾きがわかりやすい。
【００８２】
以上、本開示を添付図面に示す実施形態に基づいて説明したが、本開示は上記の実施形態に限定されるものではなく、本開示の意図する範囲内であれば、適宜の設計変更が可能である。
【符号の説明】
【００８３】
１      加熱調理器
２      調理器本体
２０    前面部
３      カバー
３２    収容凹部
４      第一係止部
５      第二係止部
６      第一被係止部
７      第二被係止部
８      突起
８０    本体側突起
１５    操作部材
【図１】
2020051631.tif 000003
【図２】
2020051631.tif 000004
【図３】
2020051631.tif 000005
【図４】
2020051631.tif 000006
【図５】
2020051631.tif 000007